(57)【特許請求の範囲】
【請求項１】
操縦部に設けられる運転席の側部に作業者の腕を載せられるアームレストを設け、前記運転席の前方にステアリングハンドルを配置した作業車両において、
前記アームレストの外側方に、操作装置を備えるとともに運転席を支持する支持体に取り付けられるコントロールアームを設け、
前記コントロールアーム上に配置される操作装置の取付面は、前記アームレストの上面よりも下方に配置され、
前記コントロールアームは、水平方向の操作位置と、上方へ回動した収納位置に回動可能に構成され、
収納位置におけるコントロールアームの前端位置は、前記運転席の座部の前後方向中央よりも後方に位置される
ことを特徴とする作業車両。
【請求項２】
前記コントロールアームの前部上には、主変速レバーが設けられ、
前記ステアリングハンドルを支持するダッシュボード上には、アクセルレバーが配置され、
前記アクセルレバーは、前記主変速レバーとステアリングハンドルの間に配置される
ことを特徴とする請求項１に記載の作業車両。
【発明の詳細な説明】
【技術分野】
【０００１】
本発明は、操作装置を配置したコントロールアームを、運転席の側方に配置する作業車両に関する。
【背景技術】
【０００２】
従来、作業車両の運転席の側部に備えられるアームレストに操作装置を配置した構成が公知となっている。該アームレストは上下回動可能に構成され、該アームレストを上方に回動した状態では、アームレストとステアリングハンドルの間の空間を作業者が通行可能となり、運転席に乗降可能に構成していた。そして更に、アームレストを運転席に対して前後位置調整可能に構成した技術も公知となっている（例えば特許文献１参照）。
【先行技術文献】
【特許文献】
【０００３】
【特許文献１】特開２００８−２５４５３６号公報
【発明の概要】
【発明が解決しようとする課題】
【０００４】
しかし、前記特許文献１における技術の場合、アームレスト上に操作装置が配置されているために、主変速レバーや作業部ポジションレバーを操作するときに、他の操作装置に触れて作動させるおそれがあった。また、腕を置く位置に配置されるスイッチ等に触れないように、スイッチを覆うための蓋体を設ける必要があった。そこで、主変速レバーや作業部ポジションレバー等のレバーを操作するときに他の操作装置に触れて誤操作が生じないようにするとともに、作業時において、腕はアームレストに常時置いて操作状態を安定させるようにし、楽な姿勢が保持できて、スイッチ類も蓋を開けることなく容易に操作できるような操作装置を提供しようとする。
【課題を解決するための手段】
【０００５】
本発明の解決しようとする課題は以上の如くであり、次にこの課題を解決するための手段を説明する。
即ち、請求項１においては、操縦部に設けられる運転席の側部に作業者の腕を載せられるアームレストを設け、前記運転席の前方にステアリングハンドルを配置した作業車両において、前記アームレストの外側方に、操作装置を備えるとともに運転席を支持する支持体に取り付けられるコントロールアームを設け、前記コントロールアーム上に配置される操作装置の取付面は、前記アームレストの上面よりも下方に配置され、前記コントロールアームは、水平方向の操作位置と、上方へ回動した収納位置に回動可能に構成され、収納位置におけるコントロールアームの前端位置は、前記運転席の座部の前後方向中央よりも後方に位置されるものである。
【０００６】
請求項２においては、前記コントロールアームの前部上には、主変速レバーが設けられ、前記ステアリングハンドルを支持するダッシュボード上には、アクセルレバーが配置され、前記アクセルレバーは、前記主変速レバーとステアリングハンドルの間に配置されるものである。
【発明の効果】
【０００７】
本発明の効果として、以下に示すような効果を奏する。
即ち、作業者が腕をアームレストに載せて主変速レバーを握りながら運転しているときに、コントロールアーム上に配置されるスイッチ等の操作装置に触れることがなく、操作間違いを防止することができる。また、コントロールアームは収納位置に回動しておくことで、乗降が容易に行うことができる。
【図面の簡単な説明】
【０００８】
【図１】サトウキビ収穫機の全体構成を示した側面図。
【図２】サトウキビ収穫機の全体構成を示した平面図。
【図３】油圧回路図。
【図４】操縦部の上方斜視図。
【図５】操縦部の左側面図。
【図６】操縦部の右側面図。
【図７】表示パネルの平面図。
【図８】コントロールアームの斜視図。
【図９】キャビンの前部を示す斜視図。
【図１０】キャビン内部のモニタの配置を示す図。
【発明を実施するための形態】
【０００９】
まず、図１、図２より、作業車両としてサトウキビ収穫機１の全体構造について説明する。なお、Ｆ方向を前方として、前後方向を規定して説明する。サトウキビ収穫機１は、走行装置としてクローラ式走行装置１０上に機体フレーム３０を支持し走行部とする。該機体フレーム３０の前部に昇降リンク機構１２を介して左右一対のクロップデバイダ２が配設される。なお、走行装置はホイル式であってもかまわない。前記クロップデバイダ２は後傾して配設される分草フレーム２ａの前部に左右一対のオーガ２ｂ・２ｂが分草フレーム２ａと略平行に配置して回転可能に支持され、分草フレーム２ａ上部に設けた油圧モータ２ｃにより駆動されるようにしている。こうして、サトウキビを引き起こしながら機内に引き込む。左右一対のクロップデバイダ２の上部には、サイドカッター１６・１６が設けられ、油圧モータ１８４（図３）により駆動される。こうして、該サイドカッター１６は左右一対のクロップデバイダ２で掻きこんだときに絡み合う稈の上部を切断するようにしている。
【００１０】
前記昇降リンク機構１２は左右一対の上リンク１２ａと下リンク１２ｂが上下平行に機体フレーム３０の前端に設けた刈取部取付フレーム３４と分草フレーム２ａの間に上下回動自在に支持される。前記刈取部取付フレーム３４と下リンク１２ｂ・１２ｂとの間には油圧シリンダ１２ｃ・１２ｃが介装され、該油圧シリンダ１２ｃを伸縮駆動することによって、クロップデバイダ２を昇降可能としている。また、刈取部取付フレーム３４の上部から前方にトップカッター１７が突出され、サトウキビの上部を切断可能に配置している。該トップカッター１７は油圧シリンダ２０５（図３）により昇降可能に構成されている。
【００１１】
クロップデバイダ２の後方には、掻込ロータ１３とベースカッター３と前搬送装置４が前搬送フレーム１４に支持されている。該前搬送フレーム１４は左右一対設けられて、後部が後述する後搬送装置５の前端位置の機体フレーム３０に上下回動自在に枢支される。該前搬送フレーム１４の前部と機体フレーム３０との間には油圧シリンダが介装されて、油圧シリンダ１９６（図３）を伸縮させることによりベースカッター３や掻込ロータ１３の高さを調節可能としている。
【００１２】
前記ベースカッター３は前搬送フレーム１４の前部から下方に垂設する左右の支持筒３ａ・３ａと、支持筒３ａ・３ａの下端に固設される支持円板の外周に固設される複数の刈刃３ｂ・３ｂ・・・と、前記支持円板上に固設され棒状の螺旋３ｃ・３ｃと、刈刃３ｂ及び螺旋３ｃを回転駆動する油圧モータ１８７（図３）等からなる。前記掻込ロータ１３は、前記左右の前搬送フレーム１４の前端に左右方向に軸心を有し回転自在に支持される回動軸と、該回動軸上に固設される羽根体からなり、回動軸は油圧モータ１８７により回転駆動される。
【００１３】
前搬送装置４は、左右方向に軸心を有し上下一対の送りローラ４ａ・４ａが前後方向に複数組配置され、送りローラ４ａ・４ａのローラ軸の両側が左右の搬送ケースに回転自在に支持され、上側のローラ軸はチェーンにより動力伝達可能に構成され、下側のローラ軸はギヤにより動力伝達可能に構成され、それぞれ油圧モータ１８６（図３）と連結されている。
【００１４】
こうして、走行部の前部に刈取装置となるクロップデバイダ２、サイドカッター１６、ベースカッター３、トップカッター１７が前方に突出するように配設され、クロップデバイダ２により分草されサトウキビの稈の上部と左右両側が切断され、掻込ロータ１３の回転により掻き込まれて、株元がベースカッター３の刈刃３ｂ・３ｂの回転により切断され、同時に螺旋３ｃ・３ｃの回転により稈の下端（根元）が跳ね上げられる。跳ね上げられたサトウキビは、その直後に配置された前搬送装置４に根元から引き込まれ、前搬送装置４の送りローラ４ａ・４ａ・・・で斜め後上方に送られる。
【００１５】
前搬送装置４の後部は後搬送装置５の前下部に位置される。該後搬送装置５は上側と下側にそれぞれ適宜間隔をあけて後方へ送るローラ式コンベアからなる。こうして、ベースカッター３により切断された後のサトウキビは前搬送装置４により後方へ送られて後搬送装置５に受け継がれて斜め後上方に搬送される。
【００１６】
前記後搬送装置５の後部にはチョッピング装置６が配設される。チョッピング装置６はカッターと跳ね出しローラからなる。カッターは左右方向に軸心を有する上下一対のカッター軸上にブレード刃が固定され、サトウキビが回転する上下のブレード刃の間を通過するときに細断されるようにしている。跳ね出しローラは上下一対の左右方向に軸心を有する回転軸上に跳ね出し羽根を固定し、カッターの後上方に配置される。そして、上下の軸を互いに反対方向に回転させることで、細断されたサトウキビが強制的に上後方へ跳ね飛ばされるようにしている。跳ね出しローラの後部には拡散ロータが配置される。拡散ロータは細断された後のサトウキビの茎や葉が上方に拡散されるようにしている。なお、跳ね出しローラや拡散ロータを設けることなく、カッターで切断した後に直接後述する風選装置７に投入する構成とすることもできる。
【００１７】
風選装置７は、チョッピング装置６の後上部に設けられるブロワケース７ａと、ブロワケース７ａ内に収納されるブロワ７ｂからなる。ブロワケース７ａは下方と上側方が開口され、ブロワケース７ａの下部はチョッピング装置６と連通され、上側方が葉や塵等の排出口としている。ブロワケース７ａは上下方向の軸心を中心に回動可能とされ、油圧モータ１８９（図３）を作動させてブロワケース７ａを旋回させ排出方向を変更可能としている。ブロワ７ｂは上下方向を軸心としてブロワケース７ａ内に収納され、油圧モータ１８２によりブロワ７ｂを回転駆動することにより、下から上方への高速空気流が発生されて前記拡散ロータの回転により拡散され、細断後の葉や塵を上方へ吸い込んで側方または後方に排出できるようにし、重い茎は下方の排出コンベア８の下部に設けたホッパー１８上に落下する。
【００１８】
排出コンベア８は、下部が機体フレーム３０の後部に設けた旋回台２０上に支持され、該旋回台２０に排出コンベア８が上下方向を軸心として左右回動可能に支持されている。該排出コンベア８は油圧モータ２０１を作動させることにより左右回動でき、排出方向を変更可能に構成している。サトウキビ収穫機１による収穫作業時には、図２に示すように、運搬車１１が併走し、前記排出コンベア８の排出部が運搬車１１の格納部１１ａへ向くように油圧モータ２０１を作動させて排出方向を変更し、刈取作業をしながら収穫物を運搬車１１へ排出するようにしている。
【００１９】
また、排出コンベア８上部の出口にはデフレクタ１５が設けられ、該デフレクタ１５は油圧シリンダ１９９を作動させることにより角度変更され、落下方向を変更可能に構成している。なお、デフレクタ１５の作動は油圧シリンダに限定するものではなく、電動シリンダやモータ等のよっても作動可能であり、限定するものではない。但し、本実施形態では、機体フレーム３０の後部に排出コンベア８を取り付けているが、機体フレーム３０の後部に収納袋を取り付けて、風選装置７から落下するサトウキビを収納袋に収納する構成とすることもできる。
【００２０】
また、前記機体フレーム３０の前後中央の前搬送装置４の後部上方には、エンジン５０が配置され、該エンジン５０はクランク軸が左右方向となるように配置されて、該クランク軸の一端に冷却ファンを設けて、インタークーラ６４やラジエータ６５を冷却できるようにし、クランク軸の他端に複数の油圧ポンプ６６が連動連結されて、駆動されるようにしている。
【００２１】
前記油圧ポンプ６６には、走行したり、作業機を駆動したり昇降したりするための油圧モータや油圧シリンダ等の油圧アクチュエータと接続されている。具体的には、図３に示すように、可変油圧ポンプ１６１Ｌ・１６１Ｒはそれぞれクローラ式走行装置１０の走行油圧モータ１９７Ｌ・１９７Ｒと接続され、可変油圧ポンプ１６１Ｌ・１６１Ｒの送油方向や送油量を変更して、走行速度の変更や直進や旋回を可能としている。可変油圧ポンプ１６１Ｌ・１６１Ｒの送油方向や送油量を変更する可動斜板は後述する主変速レバー９０やステアリングハンドル４１と連係されている。
【００２２】
油圧ポンプ１６２は電磁バルブ１７２を介して風選装置７のブロワ７ｂを駆動する油圧モータ１８２と接続され、油圧ポンプ１６３は電磁バルブ１７３を介してクロップデバイダ２を駆動する油圧モータ２ｃと接続されている。油圧ポンプ１６４は電磁バルブ１７４を介してサイドカッター１６を駆動する油圧モータ１８４と接続されている。油圧ポンプ１６５は電磁バルブ１７５・１７６と接続され、電磁バルブ１７５はチョッピング装置６を駆動する油圧モータ１８５と接続され、電磁バルブ１７６は前搬送装置４と後搬送装置５を駆動する油圧モータ１８６と接続されている。油圧ポンプ１６６は電磁バルブ１７７を介してベースカッター３を駆動する油圧モータ１８７と接続されている。該油圧モータ１８７を作動させるための油圧回路には油圧計８４と連通され、該油圧計８４はダッシュボード４２上に設けられてその油圧を作業者が確認できるようにしている。油圧ポンプ１６８は電磁バルブ１７８を介して排出コンベア８を駆動する油圧モータ１８８と接続されている。油圧ポンプ１６９は電磁バルブ２０２を介してトップカッター１７を駆動する油圧モータ２０３と接続されている。
【００２３】
油圧ポンプ１６７の吐出側は、電磁バルブ１７９・１９０・１９１・１９２・１９３・１９４・１９５・２０４と並列接続され、電磁バルブ１７９の二次側は風選装置７を左右回動する油圧モータ１８９と接続されている。電磁バルブ１９０の二次側はベースカッター３を昇降駆動させる油圧シリンダ１９６と接続されている。電磁バルブ１９１の二次側はクロップデバイダ２の左側を昇降駆動させる油圧シリンダ１２ｃと接続されている。電磁バルブ１９２の二次側はクロップデバイダ２の右側を昇降駆動させる油圧シリンダ１２ｃと接続されている。電磁バルブ１９３の二次側はデフレクタを回動させる油圧シリンダ１９９と接続されている。電磁バルブ１９４の二次側は排出コンベア８を昇降駆動させる油圧シリンダ２００と接続されている。電磁バルブ２０４の二次側はトップカッター１７を昇降駆動させる油圧シリンダ２０５と接続されている。電磁バルブ１９５の二次側は排出コンベア８を左右旋回させる油圧モータ２０１と接続されている。
【００２４】
そして、前記電磁バルブ１７２・１７３・１７４・１７５・１７６・１７７・１７８・１７９・１９０・１９１・１９２・１９３・１９４・１９５・２０２・２０４はキャビン１９内の操縦部９に設けた操作装置と接続されている。即ち、前記エンジン５０の前方の機体フレーム３０上に操縦部９が配設され、該操縦部９はキャビン１９により覆われている。該キャビン１９は走行部の前部左右中央に配置され、左右にドアを備えて、左右両側から乗降できるようにしている。
【００２５】
前記キャビン１９内には、図４、図５、図６に示すように、前記機体フレーム３０の前部上に固定されたフロア４４の前部左右中央上にダッシュボード４２が立設され、該ダッシュボード４２上にステアリングハンドル４１が設けられている。図１０に示すように、ステアリングハンドル４１の上方、つまり、キャビン１９内の左右中央の上部には、バックモニタ２９が設けられている。該バックモニタ２９は排出コンベア８の後部に設けられて後方を撮影するカメラからの映像を表示可能としている。該バックモニタ２９からの映像は、作業時においては排出コンベア８から排出されるサトウキビの状態を見ることができ、また、後進走行するときは、後方への進行方向を見ることができる。さらに、パーソナルコンピュータのモニタとすることもでき、インターネットを介して配信される気象情報やニュース情報等を見たり、作業設定情報等を見ることを可能としている。そして、バックモニタ２９を左右中央情報に配置することにより、右回り収穫作業時であっても、左回り収穫作業時であっても大きく視線をそらすことなくバックモニタ２９を見られるようにしている。前記ダッシュボード４２の後方にはシートブラケットとなる支持体４５上に運転席４０が取り付けられている。つまり、フロア４４の後部上に支持体４５が固設され、該支持体４５の一側部（右側）には操作装置を備えるコントロールアーム４３が配置されている。
【００２６】
前記運転席４０は水平方向に配置され作業者の臀部を支える座部４０ａと上下方向に配置され作業者の背中を支える背もたれ部４０ｂからなり、背もたれ部４０ｂの左右両側の上下中途部からはアームレスト（肘かけ）４６・４６が上下回動可能に取り付けられて、前水平方向に突出されている。運転席４０は支持体４５に設けた前後方向のレール上を摺動可能に取り付けられ、固定具により任意位置で固定可能としている。こうして、運転席４０は作業者の体格に合わせて前後位置が調整可能としている。つまり、ステアリングハンドル４１及びコントロールアーム４３との位置関係を調節可能としている。
【００２７】
前記ダッシュボード４２の上部中央には操作パネル２８が配置され、該操作パネル２８の外周に前記ステアリングハンドル４１が位置するようにしている。言い換えれば、ステアリングハンドル４１の中心部に操作パネル２８が配置されている。該操作パネル２８は液晶モニタとスイッチまたはタッチパネル等で構成されており、エンジン５０の状態や作業の状態や警報モニタ等を表示可能とし、この表示状態はスイッチまたはタッチ操作により選択可能としている。
【００２８】
操作パネル２８は、図７に示すように、中央にエンジン回転数表示部１４１と走行速度表示部１４２と副変速段表示部１４３が設けられる。エンジン回転数表示部１４１の側部に燃料ゲージ１４４が配置され、操作パネル２８の後部（運転席４０側）に警報表示部１４５とアワーメータ表示部１４６と時間表示部１４７と排出コンベア作動状態表示部（排出コンベア入切表示部１４８とコンベア向き表示部１４９）とブロア向き表示部１５０が設けられている。但し、これらの配置位置は限定するものではなく、警報表示部１４５を前部に配置することもできる。
【００２９】
エンジン回転数表示部１４１は回転数が増加するほど目盛が増加して表示するようにしているが、指針を回転させたり、デジタルで表示してもよい。走行速度表示部１４２はデジタルで時速を表示しているが、指針で表示してもよい。副変速段表示部１４３は高低（「Ｈ」「Ｌ」）で表示しているが段数で表示してもよい。燃料ゲージ１４４は満タンに対する燃料の量を目盛で表示しているが、指針で表示してもよい。警報表示部１４５はエンジン油圧異常や水温異常等を言葉で表示するが、エラーコード等を表示してもよい。アワーメータ表示部１４６は稼動時間をデジタルで表示する。時間表示部１４７は現在の時間をデジタルで表示するがアナログで表示してもよい。
【００３０】
排出コンベア作動状態表示部としての排出コンベア入切表示部１４８は、排出コンベア８が作動していると「入」、停止していると「切」が表示される。但し、表示方法はランプの点灯・消灯でもよく限定するものではない。つまり、排出コンベア８のオン・オフ操作は、図４に示すように、フロア４４の前部であって、ダッシュボード４２の右側に排出コンベア入切ペダル８０が設けられ、停止状態から排出コンベア入切ペダル８０を踏むと、前記電磁バルブ１７８が切り換えられて油圧モータ１８８に圧油が送油されて排出コンベア８を駆動する。そしてもう一度、排出コンベア入切ペダル８０を踏むと電磁バルブ１７８が切り換えられて送油を停止し、排出コンベア８の作動が停止される。この排出コンベア入切ペダル８０を踏んで排出コンベア８を駆動させたときに排出コンベア入切表示部１４８において「入」が表示され、停止させたときに「切」が表示される。
【００３１】
このように、走行部の前端に刈取装置を配置し、走行部の前部上に操縦部９を設け、走行部の後部に刈取後の収穫物（サトウキビ）を排出する排出コンベア８を配置し、刈り取った収穫物を前記排出コンベア８より併走走行する運搬車１１の格納部１１ａに投入するサトウキビ収穫機１において、前記操縦部９に備えられる運転席４０の前方に操作パネル２８が配設され、該操作パネル２８に前記排出コンベア８の作動状態を表示する排出コンベア８の状態の表示部が設けられるので、キャビン１９内で操縦する作業者にとって、真後ろに配置される排出コンベア８の作動は直接目視することが困難であるが、ステリングハンドル４１の中央に配置した操作パネル２８で容易に確認できる。排出コンベア８の状態の表示部としての排出コンベア入切表示部１４８においては、排出コンベア８の入切を表示することで、排出コンベア８の作動状態が容易に認識でき、刈取作業時において、排出コンベア８が作動されず、搬送装置（前搬送装置４・後搬送装置５）やチョッピング装置６で詰まることを防止できる。また、非作業中に排出コンベア８を作動させたりすることも防止できる。
【００３２】
また、排出コンベア８を左右旋回させるためのコンベア旋回ペダル８１Ｌ・８１Ｒがフロア４４の前部であって、ダッシュボード４２の左側に配設されている。コンベア旋回ペダル８１Ｌまたはコンベア旋回ペダル８１Ｒを踏むと電磁バルブ１９５が切り換えられて油圧モータ２０１を右回転駆動または左回転駆動させ、排出コンベア８が右旋回または左旋回される。このとき、排出コンベア８の排出方向がどの方向を向いているかを、排出コンベア向き表示部１４９において表示している。なお、この排出コンベア８の向きは旋回台２０に設けた角度センサにより検知し、その角度に応じて排出コンベア向き表示部１４９で排出コンベア８の方向（角度）が変化するようにしている。但し、表示方法は限定するものではない。
【００３３】
このように、前記操作パネル２８には排出コンベア作動状態表示部としての排出コンベア８の向きを表示させる排出コンベア向き表示部１４９が設けられるので、排出コンベア８の排出方向が容易に認識でき、運搬車１１の存在しない方向に排出することを防止でき、意図しない方向へ排出すこともないのである。
【００３４】
前記ブロア向き表示部１５０は、風選装置７のブロワケース７ａの排出方向を矢印で表示される。但し、イラスト等で表示してもよく表示方法は限定するものではない。風選装置７の左右旋回は、コントロールアーム４３に設けたブロア旋回スイッチ９７により操作可能としている。ブロア旋回スイッチ９７を操作すると電磁バルブ１７９が切り換えられて油圧モータ１８９が回転駆動される。風選装置７の回動位置（排出方向）は回転部に設けた角度センサにより検知され、ブロア向き表示部１５０において表示される。このように、前記操作パネル２８には風選装置７の排出方向を表示させるブロワ向き表示部１５０が設けられるので、操縦部９において分かり難い風選装置７の排出方向を容易に認識できるようになり、間違った方向に排出することを防止できる。
【００３５】
また、図４に示すように、前記ステアリングハンドル４１のホイル内側上には、トップカッター上下スイッチ８２とホーンスイッチ８３が設けられている。本実施形態では、ステアリングハンドル４１のホイル部分における手で握るときに邪魔とならない右前内側にトップカッター上下スイッチ８２が設けられ、左内側にホーンスイッチ８３が設けられている。トップカッター上下スイッチ８２を上昇側または下降側に操作すると、電磁バルブ２０４が切り換えられて油圧シリンダ２０５が伸長または縮小され、トップカッター１７が上昇または下降され、稈の上端を切断する高さを調節することができる。
【００３６】
前記ダッシュボード４２の上面の前部にはベースカッター３を作動させているときの油圧を表示する油圧計８４が設けられ、作動状態を確認できるようにしている。ダッシュボード４２の上面の右側後部にはエンジン５０の回転数を調節するアクセルレバー４７が設けられ、左側に作業部正逆転レバー４８が設けられる。また、ダッシュボード４２の右側面には電装品をスタンバイさせエンジン５０を始動するためのキースイッチ４９が設けられている。
【００３７】
前記作業部正逆転レバー４８は、クロップデバイダ２やベースカッター３や前搬送装置４や後搬送装置５の回転を、正転または逆転操作すること可能としている。すなわち、作業部正逆転レバー４８の回動基部にはスイッチが設けられ、例えば、作業部正逆転レバー４８を前方へ回動した状態では、電磁バルブ１７３・１７６・１７７が切り換えられて油圧モータ２ｃ・２ｃ・１８６・１８７を正転駆動する。逆に、作業部正逆転レバー４８を後方へ回動した状態では、電磁バルブ１７３・１７６・１７７が逆方向に切り換えられて油圧モータ２ｃ・２ｃ・１８６・１８７を逆転駆動する。こうして、通常の作業時においては、正転駆動とし、クロップデバイダ２やベースカッター３や前搬送装置４や後搬送装置５のいずれかの場所で詰まりが発生した場合やメンテナンスを行う場合等において、作業部正逆転レバー４８を逆方向に操作して逆転させ、詰まりを容易に除去でき、メンテナンスも容易に行えるようにしている。
【００３８】
前記アクセルレバー４７は、図６に示すように、コントロールアーム４３上に設けた主変速レバー９０や操作スイッチを取り付ける取付面と略同一平面（略同じ高さ位置）に配置され、図４に示すように、アクセルレバー４７は左右方向でステアリングハンドル４１と主変速レバー９０の間に配置される。そして、アクセルレバー４７上部の高さは、ステアリングハンドル４１と主変速レバー９０のグリップ９０ｂよりも低い位置として、作業開始時にセットするとその後は殆んど操作されないアクセルレバー４７が、作業時に主に操作されるステアリングハンドル４１や主変速レバー９０の操作に邪魔にならない配置としている。このように、前記コントロールアーム４３の前部上には主変速レバー９０が設けられ、前記ステアリングハンドル４１を支持するダッシュボード４２上にはアクセルレバー４７が配置され、該アクセルレバー４７は、前記主変速レバー９０とステアリングハンドル４１の間に配置されるので、ステアリングハンドル４１を操作しているときにはアクセルレバー４７や主変速レバー９０が邪魔にならず、アクセルレバー４７はステアリングハンドル４１を握る手を下方に移動するだけで容易に操作できる。前記主変速レバー９０はコントロールアーム４３の前部上に配置して、その上部のグリップ９０ｂの高さはステアリングハンドル４１の後部の高さと略同じ高さとして、主変速レバー９０を操作する時にはステアリングハンドル４１を握る手を右側方へ移動させるだけで容易に操作できることとなり、操作性が向上されている。
【００３９】
前記コントロールアーム４３は、支持体４５の右側面に上下回動可能に支持され、前上方に延設される。該コントロールアーム４３は操作装置の取付面が略水平方向の操作位置と、上方へ回動した収納位置に回動可能に構成され、それぞれの位置で保持することができる。上方へ回動した収納位置におけるコントロールアーム４３の前端位置は、図６に示すように、前記運転席４０の座部４０ａの前後方向中央よりも後方に位置される。なお、このコントロールアーム４３の収納位置での運転席４０は、最後方に位置調整した状態で座部４０ａ中央よりも後方に位置するので、運転席４０を前方へ位置調整すると、コントロールアーム４３は更に座部４０ａの後方に位置する。こうして、前記コントロールアーム４３を下げた操作位置の状態では、運転席４０を前後移動して調節した場合でも、ステアリングハンドル４１とコントロールアーム４３上の操作装置との位置関係が変わらないため、操作フィーリングが悪化することがなく、コントロールアーム４３を上方へ上げた収納位置では、運転席４０の前右側方の空間が拡大され、ステアリングハンドル４１と運転席４０の間のフロア４４上をコントロールアーム４３に邪魔されず容易に移動してキャビン１９に乗降することができるようになる。
【００４０】
前記コントロールアーム４３上には、操作装置として主変速レバー９０と操作スイッチが配置され、主変速レバー９０はコントロールアーム４３の前上面の左側に前後方向に開口されたレバーガイド９０ａに沿って前後回動可能に配置されている。レバーガイド９０ａは前後略中央位置がニュートラル位置９０ｃとし、ニュートラル位置９０ｃより主変速レバー９０を前方へ回動することにより前進方向に加速して無段変速が可能であり、後方へ回動することにより後進方向に加速して無段変速を可能としている。
【００４１】
前記コントロールアーム４３の前部上に配置される主変速レバー９０は、図６、図８に示すように、上部にグリップ９０ｂが形成され、該グリップ９０ｂの前面には、作業部となるクロップデバイダ２とベースカッター３と前搬送装置４を一括昇降操作するための刈取作業部上下スイッチ９１が設けられる。該刈取作業部上下スイッチ９１を操作することにより、電磁バルブ１９０・１９１・１９２が同時に切り換えられて油圧シリンダ１９６・１２ｃ・１２ｃが同時に昇降される。刈取作業部上下スイッチ９１はシーソースイッチで構成され、上下中央が中立位置で上方へ回動すると上げ操作となり、下方へ回動すると下げ操作となり、操作力を開放すると中立に戻るスイッチとしている。
【００４２】
前記グリップ９０ｂの上部左側には副変速切換スイッチ９２が設けられる。該副変速切換スイッチ９２を押す毎に高速と低速が切り換えられ、同時に、操作パネル２８の副変速段表示部１４３の表示も切り替えられる。前記グリップ９０ｂ左側の副変速切換スイッチ９２の下方には、ベースカッター上下スイッチ９３が配置される。該ベースカッター上下スイッチ９３を操作することにより、電磁バルブ１９０が切り換えられて油圧シリンダ１９６を伸長または縮小し、ベースカッター３の高さを任意に変更できるようにしている。つまり、稈下部の切断高さを変更できるようにしている。前記グリップ９０ｂの上部右側には駐車ブレーキスイッチ９４が配置される。該駐車ブレーキスイッチ９４を押すことにより駐車ブレーキが作動し、もう一度押すと解除される。
【００４３】
こうして、前記主変速レバー９０のグリップ９０ｂには、少なくとも副変速切換スイッチ９２と駐車ブレーキスイッチ９４と刈取作業部上下スイッチ９１が配置されるので、右手で主変速レバー９０を握りながら、右手の中指で刈取作業部上下スイッチ９１を操作でき、親指で副変速切換スイッチ９２とベースカッター上下スイッチ９３を操作できる。また、停止した状態では、駐車ブレーキスイッチ９４を操作ができ、スイッチ類を集約配置して、指の操作で複数の操作ができ操作性の向上が図れる。
【００４４】
前記コントロールアーム４３には操作装置を配置する取付面を設けている。操作装置は本実施形態では、主変速レバー９０、作業部メインスイッチ８５、クロップデバイダ左上下スイッチ８６、クロップデバイダ右上下スイッチ８７、トップカッタースイッチ８８、サイドカッタースイッチ８９、デフレクタ上下スイッチ９５、排出コンベア上下スイッチ９６、ブロア旋回スイッチ９７、ブロアスイッチ９８であり、操作装置をコントロールアーム４３上に集約配して効率よく操作できるようにしている。前記取付面は図４に示すように、前取付面４３ａと後取付面４３ｂと側部取付面４３ｃを備える。該取付面は、図６に示すように、前記アームレスト４６の上面よりも低い位置に配置され、作業者の腕がアームレスト４６に載置された状態では、取付面上のスイッチ類に触れにくい構成として誤操作が生じ難い構成としている。
【００４５】
前記前取付面４３ａは、左側に水平面を設け、右側に左右方向で内側下方へ下がる傾斜面を設け、水平面に前記主変速レバー９０のレバーガイド９０ａが形成され、傾斜面上に前から順に、作業部メインスイッチ８５、クロップデバイダ左上下スイッチ８６、クロップデバイダ右上下スイッチ８７が設けられる。この前取付面４３ａの右側を傾斜面とすることにより作業部メインスイッチ８５とクロップデバイダ左上下スイッチ８６とクロップデバイダ右上下スイッチ８７が容易に視認でき、操作できるようにしている。
【００４６】
前記作業部メインスイッチ８５は、作業部を一括して停止可能とするスイッチであり、作業部として、クロップデバイダ２、ベースカッター３、前搬送装置４、後搬送装置５、チョッピング装置６、風選装置７、排出コンベア８、サイドカッター１６、トップカッター１７である。但し、作業部メインスイッチ８５により停止させる装置は、少なくともベースカッター３と前搬送装置４と後搬送装置５が停止されればよく、その他の装置は仕様やユーザ等に応じて停止できるようにすることができる。前記作業部メインスイッチ８５は下方に押しながら回すことで、オン位置に保持でき、この状態で作業部メインスイッチ８５を下方に押すと上昇してオフとなるスイッチとしている。従って、作業時に詰まりや異音等が発生したときに、作業部メインスイッチ８５を押すことで、エンジン５０を停止することなく作業部が一斉に停止され、損傷をできるだけ小さくなるようにしている。
【００４７】
また、作業部メインスイッチ８５の配置位置は、前記主変速レバー９０のレバーガイド９０ａよりも外側でニュートラル位置９０ｃよりも後方に配置している。本実施形態では、ニュートラル位置９０ｃから後進変速位置までの間の外側方に配置している。従って、通常の前進作業時において異常が発生したときには、作業部メインスイッチ８５を押す時に主変速レバー９０が邪魔にならず容易に操作して作業部を停止させることができる。後進時においては作業を行わないため、作業部に異常が発生することはほとんどない。よって、主変速レバー９０側方の空間も操作装置配置空間として有効に利用できる。
【００４８】
このように、機体フレーム３０にサトウキビの稈の株元を切断するベースカッター３や余分な両側及び上側の稈を切断するサイドカッター１６・トップカッター１７からなる刈取装置や切断後の稈を後方へ搬送する前搬送装置４・後搬送装置５からなる搬送装置や稈を細断する切断装置（チョッピング装置６）からなる作業部を設けるとともに、機体フレーム３０の前部に操縦部９を設け、該操縦部９に運転席４０と、該運転席４０の側方に主変速レバー９０を配置した収穫機において、前記主変速レバー９０は前進側と後進側に前後方向への回動をガイドするレバーガイド９０ａに沿って変速可能とされ、前記レバーガイド９０ａのニュートラル位置９０ｃよりも後側の外側方に、前記作業部を一括停止させる作業部メインスイッチ８５を設けるので、作業部を一つのスイッチを操作するだけで一括して停止できるようになり、詰まり等が発生したときに瞬時に作業部を停止させて機械や収穫物の損傷ができるだけ小さくなるようにようにできる。また、作業部メインスイッチ８５は、前進作業時において主変速レバー９０に邪魔されず、手の移動距離も短く即座操作できる。非作業の後進時においては、主変速レバー９０の側方に位置し、操作が邪魔される位置となり、むやみに操作できないようにしている。また、作業部には、更に細断後の稈を吸引し、塵埃や葉等を風力で選別する選別装置７が備えられ、該選別装置７は作業部メインスイッチ８５の操作により停止可能に構成されるので、トラブルが発生したときに、メインスイッチ８５の操作により選別装置７を停止させて、塵埃が周囲に飛ばされることがなく、修理や点検を行う時に塵埃を被ることがない。また、前記作業部メインスイッチ８５は運転席側に向けて低くなる傾斜面の取付面４３ａ上に配置されるので、運転席４０に着座する作業車から視認し易く、操作も容易に行える。
【００４９】
前記クロップデバイダ左上下スイッチ８６とクロップデバイダ右上下スイッチ８７は、シーソースイッチより構成され、上昇側または下降側に操作することとによって、電磁バルブ１９１または電磁バルブ１９２を切り換えて、油圧シリンダ１２ｃ・１２ｃを伸縮させて、左側のクロップデバイダ２または右側のクロップデバイダ２をそれぞれ独立して昇降して、その高さを任意に変更することを可能としている。
【００５０】
前記コントロールアーム４３の前部の右外側に斜面で形成される側部取付面４３ｃには、トップカッター１７の回転をオン・オフするためのトップカッタースイッチ８８と、サイドカッター１６の回転をオン・オフするためのサイドカッタースイッチ８９が配置されている。トップカッタースイッチ８８をオンにすると、電磁バルブ２０２が切り換えられて油圧モータ２０３が駆動され、トップカッタースイッチ８８をオフ側に操作すると電磁バルブ２０２が切り換えられて油圧モータ２０３の駆動は停止される。また、サイドカッタースイッチ８９をオンにすると電磁バルブ１７４が切り換えられて油圧モータ１８４を駆動し、サイドカッタースイッチ８９をオフ側に操作すると電磁バルブ１７４が切り換えられて、油圧モータ１８４は停止される。こうして、サイドカッター１６とトップカッター１７が必要なときに作動させ、不要なときにそれぞれ停止できるようにしている。
【００５１】
さらに、前記コントロールアーム４３の前取付面４３ａの後部に後取付面４３ｂが形成される。後取付面４３ｂは後下がりの傾斜面とされ、この後取付面４３ｂ上に前から順にデフレクタ上下スイッチ９５、排出コンベア上下スイッチ９６、ブロア旋回スイッチ９７、ブロアスイッチ９８が配設される。
【００５２】
前記デフレクタ上下スイッチ９５を操作すると電磁バルブ１９３が切り換えられて油圧シリンダ１９９が伸長または縮小されて、デフレクタ１５の角度を変更できる。前記排出コンベア上下スイッチ９６を操作すると電磁バルブ１９４が切り換えられて油圧シリンダ２００が伸長または縮小されて、排出コンベア８の上下高さを変更できる。前記ブロア旋回スイッチ９７を操作すると電磁バルブ１７９が切り換えられて油圧モータ１８９が右または左に回転駆動されて、風選装置７の排出方向を変更できる。前記ブロアスイッチ９８をオンすることにより電磁バルブ１７２が切り換えられて、油圧モータ１８２を駆動しブロワ７ｂを作動することができ、もう一度ブロアスイッチ９８を操作するとオフとなり油圧モータ１８２を停止させることができる。
【００５３】
このように、操縦部９に設けられる運転席４０の側部にアームレスト４６を設け、該運転席４０の前方にステアリングハンドル４１を配置した作業車両となるサトウキビ収穫機１において、前記アームレスト４６の外側方に操作装置を配置したコントロールアーム４３を設け、該コントロールアーム４３上に配置される操作スイッチの取付面は、前記アームレスト４６の上面よりも下方配置されるため、操作装置の誤操作を未然に防ぐことができる。また、操作スイッチ類は主変速レバー９０よりも後方に配置され、作業時に操作するステアリングハンドル４１と主変速レバー９０との間ではなく操作スイッチ類は後方位置となり、作業操作時に誤操作し難い配置構成としている。
【００５４】
また、図９に示すように、前記刈取作業部上下スイッチ９１またはベースカッター上下スイッチ９３を操作したときにおいて、ベースカッター３の高さが容易に認識できるように、運転席４０の斜め前方のキャビン１９の外側には、ベースカッター３の昇降に連動するゲージ１００を設けている。即ち、ゲージ１００は棒状体で構成してキャビン１９の外側に上下方向に配設され、ゲージ１００の下端が前記前搬送フレーム１４の前部に回動可能に枢支され、該ゲージ１００の上部がサイドミラー１０１を取り付けるミラーフレーム１０２に固定したガイド板１０３に、上下摺動自在にガイド孔に挿入支持されている。該ゲージ１００の上端部にはリング状の溝１００ａが形成されて目印となるようにし、キャビン１９の前面ガラス１９ａにはゲージ１００の上端部が昇降できる範囲において目盛１０４が付されている。
【００５５】
このような構成において、運転席４０に着座する作業者は前面ガラス１９ａを通してゲージ１００の上部を視認することができる。該ゲージ１００は、前搬送フレーム１４に取り付けられているためベースカッター３の昇降に連動して前面ガラス１９ａに沿って昇降し、ゲージ１００の溝１００ａの位置が目盛１０４のどこに位置しているかによってベースカッター３の高さが容易に判るようにしている。
【符号の説明】
【００５６】
１    サトウキビ収穫機
９    操縦部
４０  運転席
４１  ステアリングハンドル
４２  ダッシュボード
４３  コントロールアーム
４６  アームレスト
４７  アクセルレバー
９０  主変速レバー
【図１】
0006483010.tif 000002
【図２】
0006483010.tif 000003
【図３】
0006483010.tif 000004
【図４】
0006483010.tif 000005
【図５】
0006483010.tif 000006
【図６】
0006483010.tif 000007
【図７】
0006483010.tif 000008
【図８】
0006483010.tif 000009
【図９】
0006483010.tif 000010
【図１０】
0006483010.tif 000011